【手続補正書】
【提出日】平成17年6月17日(2005.6.17)
【手続補正１】
【補正対象書類名】特許請求の範囲
【補正対象項目名】全文
【補正方法】変更
【補正の内容】
【特許請求の範囲】
【請求項１】
複数の離間したワイヤ安定ガイドを有する管状シースであって、前記ワイヤ安定ガイドが、前記シースの端部から少なくとも一部が延びる細長管状部材を含む管状シースと、
前記シースの前記端部から延びる少なくとも1つのワイヤ安定ガイドの前記部分に形成された、前記ワイヤ安定ガイドから外側へ少なくとも一方向に選択的に拡張するように構成された前記ワイヤ安定ガイドの一部を含む保持装置とを含む医療装置。
【請求項２】
前記管状シースに嵌入する大きさに作られた、長さに沿って形成された少なくとも1つの長孔を有するガイドロッドをさらに含み、
前記少なくとも1つの長孔が前記ワイヤ安定ガイドの1つを解放可能に保持する、請求項１記載の装置。
【請求項３】
前記ワイヤ安定ガイド内に可動に配置されたワイヤをさらに含み、
前記ワイヤが前記ワイヤ安定ガイドに沿った点で前記ワイヤ安定ガイドに固定され、
前記ワイヤの近位方向への移動により前記ワイヤ安定ガイドが圧縮して、前記保持装置を形成する、請求項１に記載の医療装置。
【請求項４】
前記保持装置が前記管状安定ガイドの1つまたは複数の側面にスリットを含み、
前記ワイヤが近位へ引かれて前記保持装置を圧縮し、前記スリットの周りの前記安定ガイドの一部を外側へ少なくとも一方向に拡張させる、請求項３に記載の医療装置。
【請求項５】
前記保持装置が前記管状安定ガイドの1つまたは複数のノッチ部を含み、
前記ワイヤが近位へ引かれて前記保持装置を圧縮し、前記ノッチの周りの前記安定ガイドの一部を外側へ少なくとも一方向に拡張させる、請求項３に記載の医療装置。
【請求項６】
前記ノッチ部が前記管状安定ガイドの両側面でほぼ対称形であり、前記管状安定ガイドの圧縮により前記ノッチ部で折れ曲がる、請求項５に記載の医療装置。
【請求項７】
前記保持装置が前記管状安定ガイドに取り付けられた1つまたは複数のフィラメントを含み、
前記ワイヤが近位へ引かれて前記保持装置を圧縮し、前記1つまたは複数のフィラメントを外側へ少なくとも一方向に拡張させる、請求項３に記載の医療装置。
【請求項８】
2つのワイヤ安定ガイドを有する管状シースであって、前記ワイヤ安定ガイドが、前記シースの端部から少なくとも一部が延びる細長管状部材を含む管状シースと、
前記シースの前記端部から延びる前記ワイヤ安定ガイドの前記部分に形成された、外側へ少なくとも一方向に選択的に拡張するように構成された前記ワイヤ安定ガイドの一部を含む保持装置とを含み、
さらに、前記ワイヤ安定ガイドに通されて前記ワイヤ安定ガイド内に可動に配置された2つの端部を有し、前記シースの前記端部から延びるループを形成する、前記ワイヤ安定ガイドの各々に固定されるワイヤを含む医療装置。
【請求項９】
前記保持装置が前記管状安定ガイドの少なくとも1つの側面にスリットを含み、
前記ワイヤが近位へ引かれて、前記ワイヤが前記ワイヤ安定ガイドに固定される点で前記安定ガイドを圧縮し、前記スリットの周りの前記安定ガイドの一部を外側へ少なくとも一方向に拡張させる、請求項8に記載の医療装置。
【請求項１０】
前記保持装置が前記管状安定ガイドの1つまたは複数のノッチ部を含み、
前記ワイヤが近位へ引かれて前記保持装置を圧縮し、前記ノッチの周りの前記安定ガイドの一部を外側へ少なくとも一方向に拡張させる、請求項8に記載の医療装置。
【請求項１１】
前記ノッチ部が前記管状安定ガイドの両側面でほぼ対称形であり、前記管状安定ガイドの圧縮により前記ノッチ部で折れ曲がる、請求項１０に記載の医療装置。
【請求項１２】
前記保持装置が前記管状安定ガイドに取り付けられた1つまたは複数のフィラメントを含み、
前記ワイヤが近位へ引かれて前記保持装置を圧縮し、前記1つまたは複数のフィラメントを外側へ少なくとも一方向に拡張させる、請求項８に記載の医療装置。
【請求項１３】
前記ワイヤ安定ガイドが、約180度離れて対向して前記シースに配置される、請求項１に記載の医療装置。
【請求項１４】
前記ワイヤ安定ガイドが、約180度離れて対向して配置される、請求項７に記載の医療装置。
【請求項１５】
2つの中空ワイヤ安定ガイドを有する管状シースであって、前記ワイヤ安定ガイドが、前記シースの端部から少なくとも一部が延びる細長管状部材を含む管状シースと、
前記管状シースに嵌入する大きさに作られた、長さに沿って形成された長孔を有するガイドロッドであって、前記長孔が前記ワイヤ安定ガイドを解放可能に保持するガイドロッドと、
前記シースの前記端部から延びる前記ワイヤ安定ガイドの前記部分に形成された、外側へ少なくとも一方向に選択的に拡張するように構成された前記ワイヤ安定ガイドの一部を含む保持装置と、
前記各ワイヤ安定ガイド内に可動に配置され、前記ワイヤ安定ガイドに沿った、前記保持装置よりも遠位の点で前記ワイヤ安定ガイドに固定されるワイヤとを含む誘導針。
【請求項１６】
前記ワイヤが前記安定ガイドに対して移動して前記保持装置を配備する、請求項１５に記載の誘導針。
【請求項１７】
前記ワイヤが前記安定ガイドに対して移動して前記保持装置を後退させる、請求項１５に記載の誘導針。
【請求項１８】
2つのワイヤ安定ガイドを有する管状シースであって、前記ワイヤ安定ガイドが、前記シースの端部から少なくとも一部が延びる細長管状部材を含む管状シースと、
前記管状シースに嵌入する大きさに作られた、長さに沿って形成された2つの長孔を有するガイドロッドであって、少なくとも1つの長孔が前記ワイヤ安定ガイドの1つを解放可能に保持するガイドロッドと、
前記シースの前記端部から延びる前記ワイヤ安定ガイドの前記部分に形成された、外側へ少なくとも一方向に選択的に拡張するように構成された前記ワイヤ安定ガイドの一部を含む保持装置と、
2つの端部を有するワイヤであって、各端部が前記ワイヤ安定ガイドに通されて、前記シースの前記端部から延びる前記ワイヤ安定ガイドから突出するワイヤから、ワイヤのループを形成するワイヤとを含む誘導針。
【請求項１９】
2つの離間したワイヤ安定ガイドを有する管状シースであって、前記ワイヤ安定ガイドが、前記シースの端部から少なくとも一部が延びる細長管状部材を含み、さらに、拡張可能な遠位先端部を有する管状シースを含む医療装置。
【請求項２０】
前記管状シースに嵌入する大きさに作られた、長さに沿って形成された長孔を有するガイドロッドをさらに含み、前記長孔が前記ワイヤ安定ガイドを解放可能に保持する、請求項１９に記載の医療装置。
【請求項２１】
前記ワイヤ安定ガイドが、動脈または静脈に形成された創傷部内に配置され、前記スリットまたは弱い引裂縫い目によって前記シースの前記遠位端を拡張可能にすることにより、前記ワイヤ安定ガイドが前記創傷部を前記創傷部の長軸線に沿って伸張させる、請求項１９に記載の医療装置。
【請求項２２】
前記創傷部を伸張させることにより、前記創傷部の短軸線の対向側面に沿った組織が互いに近接する、請求項２１に記載の医療装置。
【請求項２３】
中心軸線と複数の引裂縫い目を持つ遠位端とを有する管状部材を含み、
前記部材が創傷部に近接されて、半径方向の力が前記部材の遠位端に加えられると、前記引裂縫い目が引き裂かれて前記部材の直径を増大させる誘導針。
【請求項２４】
前記シースの端部から少なくとも一部が延びるワイヤ安定ガイドを有する管状シースと、
前記管状シースに嵌入する大きさに作られた、長さに沿って形成された長孔を有するガイドロッドであって、前記長孔が前記ワイヤ安定ガイドを解放可能に保持するガイドロッドと、
2つの端部を有するワイヤであって、一端部が前記ワイヤ安定ガイドに摺動可能に結合され、他端部が前記ガイドシースに取り付けられて、前記シースの前記端部から延びる前記ワイヤ安定ガイドから突出するワイヤから、ワイヤのループを形成するワイヤとを含む誘導針。
【請求項２５】
2つのワイヤ安定ガイドを有する管状シースであって、前記ワイヤ安定ガイドが、前記シースの端部から少なくとも一部が延びる細長管状部材を含む管状シースと、
2つの端部を有するワイヤであって、各端部が前記各ワイヤ安定ガイドに通されて、前記シースの前記端部から延びる前記ワイヤ安定ガイドから突出するワイヤから、ワイヤのループを形成するワイヤとを含む装置。
【請求項２６】
前記シースの端部から少なくとも一部が延びるワイヤ安定ガイドを有する管状シースと、
2つの端部を有するワイヤであって、一端部が前記ワイヤ安定ガイドに摺動可能に結合され、他端部が前記ガイドシースに取り付けられて、前記シースの前記端部から延びる前記ワイヤ安定ガイドから突出するワイヤから、ワイヤのループを形成するワイヤとを含む装置。